(57)【要約】【課題】  永久磁石の吸着力を利用して一旦遮蔽板を上昇位置で仮止めしておき、厨子内にお守りケースや徳利等の仏具を入れた後とか御本尊の位置を修正した後、遮蔽板を引き下げるだけで所定位置に遮蔽板を装着できる仏壇用厨子における遮蔽板の装着装置を提供すること。【解決手段】  厨子本体の底板に摘み付きの遮蔽板の下端を落し込める溝を形成し、厨子本体の側板の上端部分に遮蔽板の両側端を案内する溝を形成した仏壇用厨子において、前記遮蔽板の上端に鉄製の吸着板を固着すると共に、厨子の天板部分に前記遮蔽板上端の吸着板を吸着する永久磁石を固着したことを特徴とする。【選択図】        図３
2006271947.tif 000002
【特許請求の範囲】
【請求項１】
厨子本体の底板に摘み付きの遮蔽板の下端を落し込める溝を形成し、厨子本体の側板の上端部分に遮蔽板の両側端を案内する溝を形成した仏壇用厨子において、前記遮蔽板の上端に鉄製の吸着板を固着すると共に、厨子の天板部分に前記遮蔽板上端の吸着板を吸着する永久磁石を固着したことを特徴とする厨子における遮蔽板の装着装置。
【発明の詳細な説明】
【技術分野】
【０００１】  本発明は、簡単に遮蔽板を装着することができる厨子における遮蔽板の装着装置に関するものである。
【発明の開示】
【発明が解決しようとする課題】
【０００２】  従来から厨子の前方を埃等から保護するためのガラス製の遮蔽板はあった。【０００３】  然しながら、この遮蔽板にあっては、単に厨子前方の枠の溝に斜めから差しいれて落とし込むだけのもので、厨子内にお守りケースや徳利等の仏具を入れたいときとか御本尊の位置を修正したいときには遮蔽板を常時持ち上げておかなければならないという面倒な操作をしなければならないという問題点があった。
【発明の目的】
【０００４】  本発明は、永久磁石の吸着力を利用して一旦遮蔽板を上昇位置で仮止めしておき、厨子内にお守りケースや徳利等の仏具を入れた後とか御本尊の位置を修正した後、遮蔽板を引き下げるだけで所定位置に遮蔽板を装着できる仏壇用厨子における遮蔽板の装着装置を提供することを目的とするものである。
【課題を解決するための手段】
【０００５】  本発明に係る厨子における遮蔽板の装着装置は、厨子本体の底板に摘み付きの遮蔽板の下端を落し込める溝を形成し、厨子本体の側板の上端部分に遮蔽板の両側端を案内する溝を形成した仏壇用厨子において、前記遮蔽板の上端に鉄製の吸着板を固着すると共に、厨子の天板部分に前記遮蔽板上端の吸着板を吸着する永久磁石を固着したことを特徴とするものである。
【発明の作用】
【０００６】  遮蔽板の上端部分を厨子の天板方向に差し入れるだけで遮蔽板上端の吸着板が永久磁石に吸着されて遮蔽板が上昇位置に保持され、摘みを握って引き降ろすだけで遮蔽板が所定個所に装着される。
【発明を実施するための最良の形態】
【０００７】  図１は、本発明装置を具備する厨子を収めた仏壇の斜視図、図２は、同厨子の要部拡大斜視図、図３は、遮蔽板の斜視図、図４は、遮蔽板を差し入れる状態を表わす側面透視図、図５は、遮蔽板を上方位置で保持させた状態を表わす側面透視図、図６は、遮蔽板を所定個所に装着させた状態を表わす側面透視図である。【０００８】  図において、１は、本発明装置を具備する厨子を収めた仏壇、２は、底板２−１、天板２−２、側板２−３、２−３から構成される厨子本体であって、底板２−１には後述する遮蔽板の下端を落し込める溝２−１ａが形成され、厨子本体１の上端には側板２−３、２−３の一部に形成された段部との間で後述する遮蔽板の上端が差し込める溝が形成されるように前垂れ板２−４が設けられている。【０００９】  ３は、厨子の前方を埃等から保護するための透明なアクリル製の遮蔽板であって、下方側に遮蔽板３を持ち上げるための摘み３−１が、下端には前記底板２−１の溝２−１ａに落とし込んだときの衝撃を緩衝するための保護ゴム３−２がそれぞれ取り付けられている。【００１０】  ４、４は、遮蔽板３の上端の折曲片３−３に取り付けられた鉄製の吸着板で、厨子本体２の天板２−２に固着された円柱状の永久磁石５、５に吸着されるようになっている。【００１１】  次に、本発明装置による遮蔽板の装着方法を説明すれば、図４のように遮蔽板３の摘み３−１を握って厨子本体１の側板２−３、２−３の一部に形成された段部と前垂れ板２−４の間の溝に遮蔽板３の上端を差し入れてやると、遮蔽板３の上端の折曲片３−３に取り付けられた吸着板４、４が厨子本体２の天板２−２に固着された永久磁石５、５に吸着され、図５のように遮蔽板３の下端と厨子本体２の底板２−１との間が空いている状態即ち上方位置に保持される。【００１２】  尚、図５のように遮蔽板３が上昇位置にあるとき、不測に遮蔽板３が落下しないように、遮蔽板３の下端を一時的に止めるスプリングに付勢されるロッドを設ける等の安全装置を設けておいてもよい。【００１３】  この状態から摘み３−１を握って遮蔽板３を永久磁石５、５による吸着力に抗して引き降ろしてやると、図６のように遮蔽板３の下端が底板２−１の溝２−１ａに落ち込んで遮蔽板３が厨子前方の全面を覆った状態となる。【００１４】  この状態で厨子内にお守りケースや徳利等の仏具を入れたいときとか御本尊の位置を修正したいときには、摘み３−１を握って遮蔽板３をそのまま垂直状態に持ち上げてやれば、吸着板４、４が再び永久磁石５、５に吸着されて図５のように遮蔽板３の下端と厨子本体２の底板２−１との間が空いている状態即ち上方位置に保持されることになるので、摘み３−１を握った侭にすることなく両手でお守りケースや徳利等の仏具を入れたり、御本尊の位置を修正したりすることができる。
【発明の効果】
【００１５】    本発明に係る厨子における遮蔽板の装着装置によれば、厨子本体の底板に摘み付きの遮蔽板の下端を落し込める溝を形成し、厨子本体の側板の上端部分に遮蔽板の両側端を案内する溝を形成した仏壇用厨子において、前記遮蔽板の上端に鉄製の吸着板を固着すると共に、厨子の天板部分に前記遮蔽板上端の吸着板を吸着する永久磁石を固着したものであるから、永久磁石の吸着力を利用して一旦遮蔽板を上昇位置で仮止めしておき、厨子内にお守りケースや徳利等の仏具を入れた後とか御本尊の位置を修正した後、遮蔽板を引き下げるだけで所定位置に遮蔽板を装着でき、遮蔽板の摘みを握った侭にすることなく両手でお守りケースや徳利等の仏具を入れたり、御本尊の位置を修正したりすることができるもので、きわめて便利である。
【図面の簡単な説明】
【００１６】
【図１】  本発明装置を具備する厨子を収めた仏壇の斜視図である。
【図２】  同厨子の要部拡大斜視図である。
【図３】  遮蔽板の斜視図である。
【図４】  遮蔽板を差し入れる状態を表わす側面透視図斜視図である。
【図５】  遮蔽板を上方位置で保持させた状態を表わす側面透視図である。
【図６】  遮蔽板を所定個所に装着させた状態を表わす側面透視図である。
【符号の説明】
【００１７】      １          仏壇
２          厨子
３          遮蔽板
４          吸着板
５          永久磁石
【図１】
2006271947.tif 000003
【図２】
2006271947.tif 000004
【図３】
2006271947.tif 000005
【図４】
2006271947.tif 000006
【図５】
2006271947.tif 000007
【図６】
2006271947.tif 000008